(57)【要約】凸形状の表面を有する柱状の複数の凸状レンズが平行に配置されたレンチキュラーレンズと、凸状レンズの凸形状の表面とは反対側に、複数の表示用画像をそれぞれ表示するための複数の画像列が、それぞれ複数の凸状レンズを介して表示されるための位置でその長手方向が前記複数の凸状レンズの長手方向と平行に配置された画像列群を含み、画像列群において複数の表示用画像のうち少なくとも１つの表示用画像を表示するための画像列の合計幅が、他の表示用画像を表示するための画像列の合計幅よりも広いレンチキュラー画像と、を有するレンチキュラー表示体。
2017061341.tif 000002
【特許請求の範囲】
【請求項１】
凸形状の表面を有する柱状の複数の凸状レンズが平行に配置されたレンチキュラーレンズと、
前記複数の凸状レンズの前記凸形状の表面とは反対側に、複数の表示用画像をそれぞれ表示するための複数の画像列（image strip）が、それぞれ前記複数の凸状レンズを介して表示されるための位置でその長手方向が前記複数の凸状レンズの長手方向と平行に配置された画像列群を含み、前記画像列群において前記複数の表示用画像のうち少なくとも１つの表示用画像を表示するための画像列の合計幅が、他の表示用画像を表示するための画像列の合計幅よりも広いレンチキュラー画像と、
を有するレンチキュラー表示体。
【請求項２】
各凸状レンズの幅方向の中心に対する、その凸状レンズを介して表示される前記画像列群の幅方向の中心の相対位置が、前記複数の凸状レンズの幅方向にずれている請求項１に記載のレンチキュラー表示体。
【請求項３】
各凸状レンズの幅方向の中心に対する前記画像列群の幅方向の中心の前記相対位置のずれの割合が、その凸状レンズの幅の１０％〜４０％である請求項２に記載のレンチキュラー表示体。
【請求項４】
各凸状レンズの幅方向の中心に対する前記画像列群の幅方向の中心の前記相対位置のずれの割合が、その凸状レンズの幅の１６％〜２５％である請求項２に記載のレンチキュラー表示体。
【請求項５】
１つの凸状レンズに対する前記画像列群に含まれる前記複数の画像列の数が、３列以上１２列以下である請求項１〜４のいずれか１項に記載のレンチキュラー表示体。
【請求項６】
前記合計幅が広い画像列が、前記画像列群の幅方向の中心を含む位置に配置されている請求項１〜請求項５のいずれか１項に記載のレンチキュラー表示体。
【発明の詳細な説明】
【技術分野】
【０００１】
本発明は、レンチキュラー表示体に関する。
【背景技術】
【０００２】
見る角度によって異なる画像を表示する媒体として、半円筒形の表面を有する凸状レンズが並列したレンチキュラーレンズを用いたレンチキュラー表示体が知られている。
レンチキュラー表示体は、一般的に、レンチキュラーレンズの裏面側（凸状レンズの半円筒形の表面と逆の面）に、インターレースされた複数の画像を組合せた画像列群（レンチキュラー画像）を配置し、レンチキュラーレンズを通して観察したときに、観察する角度によって画像が変化する。【０００３】
例えば、特開２０１３−２５０４３号公報には、複数のシリンドリカルレンズの配列により構成されたレンチキュラーシートと画像形成層が積層して構成され、シリンドリカルレンズの配列ピッチ長と、画像形成層に繰り返し形成された虚像観察用画像のピッチ長の差が、シリンドリカルレンズの配列ピッチ長又は虚像観察用画像のピッチ長に対して０％〜１０％の範囲である画像表示体が開示されている。
【発明の概要】
【発明が解決しようとする課題】
【０００４】
本開示において、同じ構成を有する要素が複数配置されている場合、各要素の符号と共に示される「ｎ」は、Ｎ個（Ｎは２以上の整数）の要素のうちのｎ番目（ｎはＮ以下の任意の整数）の要素を指す。本開示のレンチキュラー表示体は、図面に具体的に示される実施形態に限定されず、以下の記載は任意のｎにおいても同様に適用される。
図１は、レンチキュラー表示体によって表示したい２つの表示用画像からレンチキュラー画像を作成する方法の一例を概略的に示している。
まず、レンチキュラー表示体によって表示させるための表示用画像Ａ（以下、「画像Ａ」という場合がある。）と表示用画像Ｂ（以下、「画像Ｂ」という場合がある。）を用意する（図１（ａ））。そして、各画像Ａ、Ｂをそれぞれストライプ状に分割して抽出されたＡ画像要素とＢ画像要素（以下、これらの画像要素を「画像列（image strip）」という場合がある。）を交互に配置した合成画像を作成する(図１（ｂ））。次いで、合成画像を元の画像Ａ，Ｂの縦横比となるように圧縮することで、表示用画像Ａ，Ｂをそれぞれ表示するための画像列が交互に配置（インターレース）され、表示用画像Ａ，Ｂと同じサイズのレンチキュラー画像が得られる（図１（ｃ））。【０００５】
図２は、従来の一般的なレンチキュラー表示体の構成の一例を概略的に示している。図２に示すレンチキュラー表示体は、凸状レンズが並列したレンチキュラーレンズ２２の凸状面とは反対側の平坦面にレンチキュラー画像２４が配置されている。例えばＮ個（Ｎは２以上の整数）の凸状レンズが平行に配置（並列）されたレンチキュラーレンズを備える場合、凸状レンズが並列した方向の一端から数えてｎ番目（ｎはＮ以下の任意の整数）の凸状レンズ下には画像Ａから抽出された画像列Ａｎと画像Ｂから抽出された画像列Ｂｎとが、その長手方向が凸状レンズの長手方向に平行に配置された画像列群が配置される。このような構成を有するレンチキュラー表示体をレンチキュラーレンズ２２の凸状面側から見た場合、見る角度によって画像が変化（チェンジング）することになる。例えば、図２における視線６では、画像Ａを表示するための画像列Ａｎ−１，Ａｎ，Ａｎ＋１が各凸状レンズ２２Ａｎ−１，２２Ａｎ，２２Ａｎ＋１を通じてそれぞれ幅方向Ｘに拡大されて合成されることにより画像Ａが表示される。同様に、視線３では、画像Ｂを表示するための画像列Ｂｎ−１，Ｂｎ，Ｂｎ＋１が各凸状レンズ２２Ａｎ−１，２２Ａｎ，２２Ａｎ＋１を通じてそれぞれ幅方向Ｘに拡大されて合成されることにより画像Ｂが表示されることになる。また、図２における視線５では、画像Ａと画像Ｂとが混ざった状態で見え易い。【０００６】
このように複数の表示用画像をそれぞれ表示するための画像列が各凸状レンズ下に均等に交互に配置されたレンチキュラー表示体は、見る角度によって所望の画像を表示させることができるが、表示する複数の画像に優先順位をつけ、強調したい特定の画像が見える角度を広くして表示することができない。【０００７】
また、特開２０１３−２５０４３号公報に開示されている画像表示体では、虚像観察用画像によって画像のスムーズなチェンジングを実現できたとしても、特定の画像を強調して表示させることはできない。【０００８】
本発明の一実施形態は、表示する複数の画像のうち特定の画像が見える角度を相対的に広くすることができるレンチキュラー表示体を提供することを目的とする。
【課題を解決するための手段】
【０００９】
本発明は、以下の態様を含む。
＜１＞  凸形状の表面を有する柱状の複数の凸状レンズが平行に配置されたレンチキュラーレンズと、
複数の凸状レンズの凸形状の表面とは反対側に、複数の表示用画像をそれぞれ表示するための複数の画像列（image strip）が、それぞれ複数の凸状レンズを介して表示されるための位置でその長手方向が複数の凸状レンズの長手方向と平行に配置された画像列群を含み、画像列群において複数の表示用画像のうち少なくとも１つの表示用画像を表示するための画像列の合計幅が、他の表示用画像を表示するための画像列の合計幅よりも広いレンチキュラー画像と、
を有するレンチキュラー表示体。
＜２＞  各凸状レンズの幅方向の中心に対する、その凸状レンズを介して表示される画像列群の幅方向の中心の相対位置が、複数の凸状レンズの幅方向にずれている＜１＞に記載のレンチキュラー表示体。
＜３＞  各凸状レンズの幅方向の中心に対する画像列群の幅方向の中心の相対位置のずれの割合が、その凸状レンズの幅の１０％〜４０％である＜２＞に記載のレンチキュラー表示体。
＜４＞  各凸状レンズの幅方向の中心に対する画像列群の幅方向の中心の相対位置のずれの割合が、その凸状レンズの幅の１６％〜２５％である＜２＞記載のレンチキュラー表示体。
＜５＞  １つの凸状レンズに対する画像列群に含まれる複数の画像列の数が、３列以上１２列以下である＜１＞〜＜４＞のいずれか１つに記載のレンチキュラー表示体。
＜６＞  合計幅が広い画像列が、画像列群の幅方向の中心を含む位置に配置されている＜１＞〜＜５＞のいずれか１つに記載のレンチキュラー表示体。
【発明の効果】
【００１０】
本発明の一実施形態によれば、表示する複数の画像のうち特定の画像が見える角度を相対的に広くすることができるレンチキュラー表示体が提供される。
【図面の簡単な説明】
【００１１】
【図１】レンチキュラー画像の作成方法の一例を示す概略図である。
【図２】従来のレンチキュラー表示体の構成の一例を示す概略図である。
【図３】本開示のレンチキュラー表示体の一例を示す概略斜視図である。
【図４】本開示のレンチキュラー表示体の凸状レンズ下に配置されている画像列群の一例を示す概略図である。
【図５】本開示のレンチキュラー表示体の凸状レンズ下に配置されている画像列群の他の例を示す概略図である。
【図６】本開示のレンチキュラー表示体の凸状レンズ下に配置されている画像列群の他の例を示す概略図である。
【図７】本開示のレンチキュラー表示体の凸状レンズ下に配置されている画像列群の他の例を示す概略図である。
【図８】本開示のレンチキュラー表示体の使用形態の一例を示す概略図である。
【図９】本開示のレンチキュラー表示体を見る角度によって表示される画像の一例を示す概略図である。
【図１０】本開示のレンチキュラー表示体を見る角度によって表示される画像の他の例を示す概略図である。
【発明を実施するための形態】
【００１２】
以下、本発明の実施形態について添付の図面を参照しながら詳細に説明する。なお、本発明は、以下に説明する実施態様に限定されるものではない。以下に説明する実施形態において重複する説明及び符号については、省略する場合がある。
【００１３】
本開示のレンチキュラー表示体は、凸形状の表面を有する柱状の複数の凸状レンズ（以下、「レンズ」という場合がある。）が平行に配置されたレンチキュラーレンズと、複数の凸状レンズの凸形状の表面とは反対側（以下、「裏面側」という場合がある。）に、複数の表示用画像（「画像」という場合がある。）をそれぞれ表示するための複数の画像列が、それぞれ凸状レンズを介して表示されるための位置で、その長手方向が複数の凸状レンズの長手方向と平行に配置された画像列群を含み、画像列群において複数の表示用画像のうち少なくとも１つの表示用画像を表示するための画像列の合計幅が、他の表示用画像を表示するための画像列の合計幅よりも広いレンチキュラー画像と、を有する。なお、本開示における「表示用画像」とは、レンチキュラー表示体によって表示することを目的とした画像、すなわち、観察者がレンチキュラー表示体をレンチキュラーレンズの凸状面側から観察したときに観察者に認識させることを目的とした画像を意味する。また、画像列が「凸状レンズを介して表示されるための位置」に配置されているとは、観察者が本開示のレンチキュラー表示体をレンチキュラーレンズの凸状面側から観察したときに、画像列をそれぞれ特定の凸状レンズを介して視認することができる凸状レンズの裏面側の特定の位置に配置されていることを意味する。凸形状の表面を有する柱状の複数の凸状レンズとは、長手方向に直交する断面の輪郭が凸状にカーブした部分を有し、同断面が長手方向に延びて柱状の形状となっているレンズを指す。凸状にカーブした面の存在により、上記レンズは凸レンズとして機能する。
【００１４】
本発明の一実施形態のレンチキュラー表示体は、各凸状レンズに対応する画像列群において特定の画像を表示するための画像列の合計幅が、他の画像を表示するための画像列の合計幅よりも広くなっていることで、各凸状レンズを介して特定の画像を表示するための画像列が表示される角度が相対的に広くなり、レンチキュラーレンズを介して合成される特定の画像が見える角度を相対的に広くすることができる。
【００１５】
図３は、本開示のレンチキュラー表示体の一例を概略的に示している。Ｘ方向は各凸状レンズ１２Ａの幅方向及び複数の凸状レンズ１２Ａが配置されている方向を示し、Ｙ方向は各凸状レンズ１２Ａの長手方向を示している。図３に示すレンチキュラー表示体１００は、レンチキュラーレンズ１２の凸状レンズ１２Ａ毎に、凸状レンズ１２Ａの凸形状の表面とは反対側の平滑面に、レンチキュラー画像１４の画像列１４Ａと画像列１４Ｂとが、その長手方向がそれぞれ凸状レンズ１２Ａの長手方向と平行に配置されている。画像列１４Ａ，１４Ｂは、それぞれ表示用画像Ａ，Ｂがストライプ状に分割されて圧縮されたものであり、画像列１４Ａの合計幅が、画像列１４Ｂの合計幅よりも広くなっている。そのため、観察者がレンチキュラーレンズの凸状面側から観察したときに、各凸状レンズを介して画像列１４Ｂが観察される角度よりも画像列１４Ａが観察される角度が広くなり、画像列Ｂが合成された画像Ｂよりも画像列Ａが合成された画像Ａが見える角度が広くなる。
以下、本開示のレンチキュラー表示体の構成について具体的に説明する。
【００１６】
レンチキュラーレンズ
レンチキュラーレンズは、レンチキュラー表示体を観察する側において凸形状の表面を有する柱状の複数の凸状レンズが平行に配置された構成を有し、光透過性を有する樹脂によって形成されている。
【００１７】
レンチキュラーレンズ（例えば、図３におけるレンチキュラーレンズ１２）を構成するための樹脂としては、例えば、ポリメチルメタクリレート樹脂（ＰＭＭＡ）、ポリカーボネート樹脂、ポリスチレン樹脂、メタクリレート-スチレン共重合樹脂（ＭＳ樹脂）、アクリロニトリル-スチレン共重合樹脂（ＡＳ樹脂）、ポリプロピレン樹脂、ポリエチレン樹脂、ポリエチレンテレフタレート樹脂、グリコール変性ポリエチレンテレフタレート樹脂、ポリ塩化ビニル樹脂（ＰＶＣ）、熱可塑性エラストマー、又はこれらの共重合体、シクロオレフィンポリマー等が挙げられる。溶融押出しやすさを考慮すると、例えば、ポリメチルメタクリレート樹脂（ＰＭＭＡ）、ポリカーボネート樹脂、ポリスチレン樹脂、メタクリレート-スチレン共重合樹脂（ＭＳ樹脂）、ポリエチレン樹脂、ポリエチレンテレフタレート樹脂、またはグリコール変性ポリエチレンテレフタレート樹脂のような、溶融粘度の低い樹脂を用いるのが好ましい。エンボスローラの表面に形成されたレンズ形状が転写されやすく、エンボス時にレンズ層にひび割れが生じにくいという理由から、グリコール変性ポリエチレンテレフタレート樹脂を用いるのがより好ましい。レンチキュラーレンズは、複数の樹脂を含んで構成されていてもよい。
【００１８】
レンチキュラー画像
レンチキュラー画像（例えば、図３におけるレンチキュラー画像１４）は、レンチキュラーレンズ（例えば、図３におけるレンチキュラーレンズ１２）の複数の凸状レンズ（例えば、図３における凸状レンズ１２Ａ）の凸形状の表面とは反対側に、複数の表示用画像をそれぞれ表示するための複数の画像列（例えば、図３における画像列１４Ａ，１４Ｂ）が、それぞれ複数の凸状レンズを介して表示されるための位置で、その長手方向が複数の凸状レンズの長手方向と平行に配置された画像列群を含んでいる。画像列群は、複数の表示用画像のうち少なくとも１つの表示用画像を表示するための画像列の合計幅が、他の表示用画像を表示するための画像列の合計幅よりも広くなっている。
【００１９】
レンチキュラー画像は、レンチキュラーレンズの裏面（平滑面）にレンチキュラー画像が直接形成されていてもよいし、レンチキュラーレンズの裏面側に配置された記録媒体に形成されていてもよい。
例えば、紙、プラスチック等の記録媒体の表面に上記方法によってレンチキュラー画像を形成した画像層を形成し、記録媒体のレンチキュラー画像が形成された面と、凸形状の表面を有する複数の凸状レンズが並列したレンチキュラーレンズの凸形状の表面とは反対側の面とを、例えば透明な接着層を介して又は接着層を介さずに貼り合わせることで本開示に係るレンチキュラー表示体を構成してもよい。
【００２０】
図４は、本開示のレンチキュラー表示体のレンチキュラーレンズ１２の凸状レンズ下に配置されている、レンチキュラー画像１４の画像列群の一例を概略的に示している。図４に示す実施形態では、１本の凸状レンズ（例えば、凸状レンズ１２Ａｎ）下において、その長手方向がそれぞれ凸状レンズの長手方向と平行に配置され、かつ、凸状レンズの幅方向に配列した１２列の画像列（例えば、画像列Ａｎ，Ｂｎ）からなる画像列群（例えば、画像列群１４ｎ）が配置されている。
【００２１】
例えば、図４に示す実施形態では、ｎ番目の凸状レンズ１２Ａｎを通じて表示される画像列として、凸状レンズ１２Ａｎの並列方向Ｘに対し、画像Ａをストライプ状に分割して圧縮された画像列Ａｎが９本（９列）並列したＡｎ画像列群（Ａｎ群）と、画像Ｂをストライプ状に分割して圧縮された画像列Ｂｎが３本（３列）並列したＢｎ画像列群（Ｂｎ群）とが１組となって画像列群１４ｎを成している。ここで、Ａｎ群に含まれる各画像列Ａｎは互いに同じ構成であり、Ｂｎ群に含まれる各画像列Ｂｎは互いに同じ構成である。図４に示すように、凸状レンズ１２Ａｎ以外の凸状レンズ（例えば、凸状レンズ１２Ａｎ−１，１２Ａｎ＋１）下でも、それぞれの凸状レンズを介して表示される画像列（例えば、画像列Ａｎ−１，Ｂｎ−１、及び画像列Ａｎ＋１，Ｂｎ＋１）が同様に配置され、画像Ａを表示するための画像列（例えば、画像列Ａｎ−１，Ａｎ＋１）が９本（９列）並列した画像列群（例えば、Ａｎ−１画像列群（Ａｎ−１群），Ａｎ＋１画像列群（Ａｎ＋１群））、及び、画像Ｂを表示するための画像列（例えば、画像列Ｂｎ−１，Ｂｎ＋１）が３本（３列）並列した画像列群（例えば、Ｂｎ−１画像列群（Ｂｎ−１群），Ｂｎ＋１画像列群（Ｂｎ＋１群））、合計１２列の画像列からなる画像列群が１つの組を成している。なお、図４では、凸状レンズ１２Ａｎ，１２Ａｎ−１，１２Ａｎ＋１以外の凸状レンズと画像列群の図示は省略されている。このような構成により、図４に示す例では、凸状レンズ１２Ａのピッチ（隣接する凸状レンズの幅方向Ｘの中心間の距離）と、各凸状レンズを介して表示される画像列群のピッチ（隣接する画像列群の幅方向Ｘの中心間の距離）は等しく、かつ、各凸状レンズの幅方向の中心に対する、その凸状レンズを介して表示される画像列群の幅方向の中心の相対位置が一致している。
【００２２】
そして、図４に示す表示するためのレンチキュラー表示体をレンチキュラーレンズの凸状面側から観察した場合、例えば視線３〜８では各凸状レンズを通じて画像Ａを表示するための各画像列Ａが幅方向Ｘに拡大して合成された画像Ａが表示され、視線１又は視線２では、各凸状レンズ１２Ａを通じて画像Ｂを表示するための各画像列Ｂが幅方向に拡大して合成された画像Ｂが表示されることなる。すなわち、図４に示す形態では、画像Ｂが見える角度よりも画像Ａが見える角度の方が相対的に広くなり、また、レンチキュラー表示体に正対する角度（レンチキュラー表示体の中心位置においてレンチキュラー表示体に対して垂直となる角度）から見た視線５でも画像Ａが表示されることになる。そのため、画像Ｂよりも画像Ａが高い優先度で表示され、画像Ａの表示を強調させることができる。
【００２３】
図５は、本開示のレンチキュラー表示体のレンチキュラーレンズ１２の凸状レンズ下に配置されている、レンチキュラー画像１４の画像列群の他の例を概略的に示している。図５に示す例でも、画像Ａを表示するための画像列Ａｎが９本（９列）並列したＡｎ画像列群（Ａｎ群）、及び、画像Ｂを表示するための画像列Ｂｎが３本（３列）並列したＢｎ画像列群（Ｂｎ群）、合計１２列の画像列からなる画像列群が１つの組となって画像列群１４ｎを成している。図５に示すように、凸状レンズ１２Ａのピッチと、各凸状レンズを介して表示される画像列群のピッチは等しくなっている。一方、各凸状レンズの幅方向の中心に対し、その凸状レンズを介して表示される画像列群の幅方向の中心の相対位置が、凸状レンズの幅方向にずれている。図５に示す例では、具体的には、例えば、Ａｎ群に含まれる９列の画像列Ａｎのうち、２列の画像列Ａｎが凸状レンズ１２Ａｎに隣接する凸状レンズ１２Ａｎ＋１下に配置されている。また、凸状レンズ１２Ａｎ＋１下には、Ａｎ＋１画像列群（Ａｎ＋１群）に含まれる９列の画像列Ａｎ＋１のうち７列の画像列Ａｎ＋１、Ｂｎ＋１画像列群（Ｂｎ＋１群）に含まれる３列の画像列Ｂｎ＋１、及び２列の画像列Ａｎが配置されている。さらに、凸状レンズ１２Ａｎ‐１下には、Ａｎ‐１画像列群（Ａｎ‐１群）に含まれる９列の画像列Ａｎ‐１のうちの７列の画像列Ａｎ‐１、Ｂｎ‐１画像列群（Ｂｎ‐１群）に含まれる３列の画像列Ｂｎ‐１、及び隣接する凸状レンズ１２Ａｎ−２（図示せず）下に配置されているＡｎ‐２画像列群（Ａｎ‐２群）に含まれる９列の画像列Ａｎ‐２のうちの２列の画像列Ａｎ−２が配置されている。
【００２４】
図５に示す表示するためのレンチキュラー表示体をレンチキュラーレンズの凸状面側から観察した場合、例えば視線５〜９では、各凸状レンズ１２Ａを通じて画像Ａを表示するための各画像列が幅方向Ｘに拡大して合成された画像Ａが表示され、視線２、３、４では、各凸状レンズ１２Ａを通じて各画像列Ｂが幅方向Ｘに拡大して合成された画像Ｂが表示されることなる。図５における視線９は、レンチキュラー表示体に対して視線８よりも低い角度で観察した状態であり、図５に示すレンチキュラー表示体は、図４に示すレンチキュラー表示体に比べてより低い角度で画像Ａを表示させることができる。
【００２５】
なお、図５に示す表示するためのレンチキュラー表示体において、例えば視線９により、凸状レンズ１２Ａｎを通じて隣接する凸状レンズ１２Ａｎ＋１下に配置されている画像Ａｎを表示（視認）させるには、凸状レンズの表面形状、高さ（厚み）等を調整すればよい。
例えば、レンチキュラーレンズの裏面（平滑面）にレンチキュラー画像を直接形成する場合は、画像形成の際、画像の位置を相対的にずらしながら形成すればよい。例えば、印刷機でレンチキュラーレンズの裏面（弊滑面）に直接印刷する際、レンチキュラーレンズに対し、レンチキュラー画像をずらすよう（例えば、図５に示す実施形態では、２列の画像列幅分ずらすように）印刷機の設定値を変更すればよい。
一方、レンチキュラーレンズの裏面側に配置された記録媒体にレンチキュラー画像を形成する場合は、レンチキュラーレンズの裏面側にレンチキュラー画像を形成した記録媒体を配置する際、レンチキュラーレンズに対してレンチキュラー画像を配置する位置を（例えば、図５に示す実施形態では、２画像列幅分）ずらせばよい。
【００２６】
図５に示すように各凸状レンズの幅方向の中心に対してその凸状レンズを介して表示される画像列群の幅方向の中心の相対位置をずらす場合、相対位置のずれの割合はレンチキュラー表示体の用途に応じて設定すればよい。本開示において、各画像列群の幅方向の中心の相対位置のずれの割合は、各凸状レンズの幅の１０％〜４０％であることが好ましい。各凸状レンズに対する画像列群の相対位置のずれの割合が１０％以上であれば特定の画像をより低い角度で表示させる効果が得られ、４０％以下であればレンチキュラーレンズとレンチキュラー画像との位置合わせが容易である。かかる観点から、各凸状レンズと画像列群との相対位置のずれは、各凸状レンズの幅の１６％〜２５％であることがより好ましい。
【００２７】
なお、画像列群の幅方向の中心に配置される画像列は特に限定されず、例えば、合計幅が相対的に狭い画像列が画像列群の幅方向の中心を含む位置に配置されていてもよいが、図５に示すように画像列の合計幅が広い画像列（例えば、画像列Ａｎ）が配置されていることが好ましい。図５に示す例では、凸状レンズ１２Ａｎ下に配置されている画像列群１４ｎの幅方向Ｘの中心には画像Ａを表示するための画像列Ａｎが配置されているため、レンチキュラー表示体を正対する角度又は正対する角度付近で見た場合も画像Ａが表示され、画像Ａがより視認され易くなる。
【００２８】
図６は、本開示のレンチキュラー表示体のレンチキュラーレンズ１２の凸状レンズ下に配置されている、レンチキュラー画像１４の画像列群の他の例を概略的に示している。図６に示す例では、３つの画像Ａ，Ｂ，Ｃを表示させる形態であり、例えば、凸状レンズ１２Ａｎ下では、凸状レンズ１２Ａｎの幅方向Ｘに、画像列Ａｎが６本（６列）並列したＡｎ画像列群（Ａｎ群）、画像列Ｂｎが３本（３列）並列したＢｎ画像列群（Ｂｎ群）、及び画像列Ｃｎが３本（３列）並列したＣｎ画像列群（Ｃｎ群）の順で、それぞれその長手方向が凸状レンズの長手方向と平行に配置され、凸状レンズ１２Ａｎを介して表示される画像列群１４ｎを構成している。同様に、凸状レンズ１２Ａｎ−１下では、凸状レンズ１２Ａｎ−１の幅方向に、画像列Ａｎ−１が６本（６列）並列したＡｎ−１画像列群（Ａｎ−１群）、画像列Ｂｎ−１が３本（３列）並列したＢｎ−１画像列群（Ｂｎ−１群）、及び画像列Ｃｎ−１が３本（３列）並列したＣｎ−１画像列群（Ｃｎ−１群）の順で、それぞれその長手方向が凸状レンズの長手方向と平行に配置され、凸状レンズ１２Ａｎ−１を介して表示される画像列群を構成している。また、凸状レンズ１２Ａｎ＋１下では、凸状レンズ１２Ａｎ＋１の幅方向に、画像列Ａｎ＋１が６本（６列）並列したＡｎ＋１画像列群（Ａｎ＋１群）、画像列Ｂｎ＋１が３本（３列）並列したＢｎ＋１画像列群（Ｂｎ＋１群）、及び画像列Ｃｎ＋１が３本（３列）並列したＣｎ＋１画像列群（Ｃｎ＋１群）の順で、それぞれその長手方向が凸状レンズの長手方向と平行に配置され、凸状レンズ１２Ａｎ＋１を介して表示される画像列群を構成している。図６に示すレンチキュラー表示体では、各凸状レンズ１２Ａを介して表示される各画像列群において、３つの画像Ａ，Ｂ，Ｃをそれぞれ表示するための画像列のうち、画像Ａを表示するための画像列（例えば、画像列Ａｎ，Ａｎ−１，Ａｎ＋１）の合計幅が最も広いため、レンチキュラー表示体を観察した場合、画像Ａが相対的に広い角度で表示されることになる。図６に示す表示するためのレンチキュラー表示体をレンチキュラーレンズの凸状面側から観察した場合、例えば視線１〜４では、凸状レンズ１２Ａｎを通じて画像Ａを表示するための各画像列Ａｎが幅方向Ｘに拡大して合成された画像Ａが表示され、視線６では、凸状レンズ１２Ａｎを通じて各画像列Ｂｎが拡大して合成された画像Ｂが表示され、視線７、８では、凸状レンズ１２Ａｎを通じて各画像列Ｃｎが拡大して合成された画像Ｃが表示されることなる。また、視線５では、画像Ａと画像Ｂが混ざった画像が表示される。
【００２９】
図７は、本開示のレンチキュラー表示体のレンチキュラーレンズ１２の凸状レンズ下に配置されている、レンチキュラー画像１４の画像列群の他の例を概略的に示しており、図６に示す例と同様に３つの画像Ａ，Ｂ，Ｃを表示させる形態である。図７に示す例では、凸状レンズ１２Ａｎ下に、凸状レンズ１２Ａｎの幅方向Ｘに、画像列Ｂｎが３本（３列）並列したＢｎ画像列群（Ｂｎ群）、画像列Ａｎが６本（６列）並列したＡｎ画像列群（Ａｎ群）、及び画像列Ｃｎが３本（３列）並列したＣｎ画像列群（Ｃｎ群）の順で、それぞれその長手方向が凸状レンズの長手方向と平行に配置され、凸状レンズ１２Ａｎを介して表示される画像列群１４ｎを構成している。同様に、凸状レンズ１２Ａｎ−１下では、凸状レンズ１２Ａｎ−１の幅方向に、画像列Ｂｎ−１が３本（３列）並列したＢｎ−１画像列群（Ｂｎ−１群）、画像列Ａｎ−１が６本（６列）並列したＡｎ−１画像列群（Ａｎ−１群）、及び画像列Ｃｎ−１が３本（３列）並列したＣｎ−１画像列群（Ｃｎ−１群）の順で、それぞれその長手方向が凸状レンズの長手方向と平行に配置され、凸状レンズ１２Ａｎ−１を介して表示される画像列群を構成している。また、凸状レンズ１２Ａｎ＋１下では、凸状レンズ１２Ａｎ＋１の幅方向に、画像列Ｂｎ＋１が３本（３列）並列したＢｎ＋１画像列群（Ｂｎ＋１群）、画像列Ａｎ＋１が６本（６列）並列したＡｎ＋１画像列群（Ａｎ＋１群）、及び画像列Ｃｎ＋１が３本（３列）並列したＣｎ＋１画像列群（Ｃｎ＋１群）の順で、それぞれその長手方向が凸状レンズの長手方向と平行に配置され、凸状レンズ１２Ａｎ＋１を介して表示される画像列群を構成している。図７に示すレンチキュラー表示体でも、各凸状レンズ下に配置されている画像列群は、３つの画像Ａ，Ｂ，Ｃをそれぞれ表示するための画像列のうち、画像Ａを表示するための画像列（例えば、画像列Ａｎ，Ａｎ−１，Ａｎ＋１）の合計幅が最も広いため、レンチキュラー表示体を観察した場合、画像Ａが相対的に広い角度で表示されることになる。図７に示す表示するためのレンチキュラー表示体をレンチキュラーレンズの凸状面側から観察した場合、例えば視線１、２では、凸状レンズ１２Ａｎを通じて各画像列Ｂｎが拡大して合成された画像Ｂが表示され、視線３〜６では、凸状レンズ１２Ａｎを通じて画像Ａを表示するための各画像列Ａｎが幅方向Ｘに拡大して合成された画像Ａが表示され、視線７、８では、凸状レンズ１２Ａｎを通じて各画像列Ｃｎが拡大して合成された画像Ｃが表示されることなる。
【００３０】
また、図６に示す例では、凸状レンズ１２Ａｎ下に配置されている画像列群１４ｎの幅方向Ｘの中心は画像列Ａｎと画像列Ｂｎとの境界であるため、正対する角度から見た場合、画像Ａと画像Ｂが混ざった状態で見え易い。一方、図７に示す例では、凸状レンズ１２Ａｎ下に配置されている画像列群１４ｎの幅方向Ｘの中心付近には画像Ａを表示するための画像列Ａｎが配置されているため、レンチキュラー表示体を正対する角度又は正対する角度付近で見た場合も画像Ａが表示され、図６に示す例に比べて画像Ａの表示をより視認させ易くすることができる。
【００３１】
図４〜図７に示した例では、１つの凸状レンズを介して表示される画像列が１２列平行に配置された画像列群が配置されているが、本開示において１つの凸状レンズを介して表示される画像列群に含まれる画像列の数は１２列に限定されない。なお、１つの凸状レンズ下に配列される画像列の数が多いほど解像度が高くなるが、画像配列群のデータ容量が大きくなるため、１つの凸状レンズに対する画像列群に含まれる画像列の数は、３列以上１２列以下であることが好ましい。
【００３２】
本開示のレンチキュラー表示体の用途は特に限定されない。図８は、本開示のレンチキュラー表示体の使用形態の一例を示す概略図である。図８において、Ｘ方向は各凸状レンズの幅方向及び複数の凸状レンズが配置されている方向を示す。例えば、コンビニエンスストア、レストラン等の店においてテーブル２０上に配置された本開示のレンチキュラー表示体１００を客３０，３２と店員４０が見た場合、店員４０側からは表示される角度が狭い画像Ｂが見えるのに対し、客３０，３２側からは表示される角度が広い画像Ａが見えることになる。そのため、客３０，３２に対してはより多様な視線の高さに対応して画像Ａを見せることができる。
【００３３】
図９、図１０は、それぞれ本開示のレンチキュラー表示体を見る角度によって表示される画像の例を概略的に示している。図９、図１０において、Ｘ方向は各凸状レンズの幅方向及び複数の凸状レンズが配置されている方向を示し、Ｙ方向は各凸状レンズの長手方向を示す。
例えば、図９に示すように、画像Ａ，Ｂの意味は互いに同じであるが、一方の側Ａ（例えば図８における客側）からは第１の言語を含む画像Ａが、他方の側Ｂ（例えば図８における店員側）から第２の言語を含む画像Ｂが表示される構成とすれば、第１の言語（例えば英語）を理解でき、第２の言語（例えば日本語）を理解できない人と、第２の言語を理解でき、第１の言語を理解できない人との間でも相互理解が容易となる。
また、例えば、図１０に示すように同じ画像Ｓを互いに逆転させた画像をＡ側、Ｂ側からそれぞれ見え、Ａ側の方がより広い角度で視認できるように画像列群を配置してもよい。
【００３４】
以上、本発明の実施形態について説明したが、本発明は上記実施形態に限定されるものではない。
例えば、レンチキュラー画像のレンチキュラーレンズが配置されている側とは反対側の面（裏面）にレンチキュラー画像を保護するための保護層を設けてもよい。保護層としては、紙、樹脂フィルム、金属シート、発泡スチロール等が挙げられる。また、レンチキュラー画像の裏面に塗料を塗布し、乾燥させることで保護層を設けてもよい。
【００３５】
２０１５年１０月６日出願の日本国特許出願２０１５−１９８５２３号の開示は、その全体が参照により本明細書に取り込まれる。
本明細書に記載された全ての文献、特許出願、及び技術規格は、個々の文献、特許出願、及び技術規格が参照により取り込まれることが具体的かつ個々に記された場合と同程度に、本明細書中に参照により取り込まれる。
【図１】
2017061341.tif 000003
【図２】
2017061341.tif 000004
【図３】
2017061341.tif 000005
【図４】
2017061341.tif 000006
【図５】
2017061341.tif 000007
【図６】
2017061341.tif 000008
【図７】
2017061341.tif 000009
【図８】
2017061341.tif 000010
【図９】
2017061341.tif 000011
【図１０】
2017061341.tif 000012
【国際調査報告】
2017061341.tif 000013
2017061341.tif 000014